(57)【要約】【課題】明るい環境下でも十分な視認性を有する表示を行うことができ、かつ薄くてコンパクト化な有機ＥＬディスプレイを提供する。【解決手段】画像情報や文字情報を表示させる有機ＥＬディスプレイ１において、共通透明基板２上に水平方向に配列された複数の陽極３と、複数の陽極３と所定の間隔を有し、かつ複数の陽極３に直交する方向に配列された第１陰極４１と第２陰極４２を１組とする複数の陰極４と、複数の陽極３と第１陰極４１との交差部にあって、かつこれらの間に形成された有機ＥＬ層７と、複数の陽極３と第２陰極４２との交差部にあって、かつこれらの間に設けられたスペーサ５とを有し、第２陰極４２は、複数の陽極３に対して垂直方向に上下動する弾性体からなる。【選択図】      図１
2006338987.tif 000002
【特許請求の範囲】
【請求項１】
画像情報や文字情報を表示させる有機ＥＬディスプレイにおいて、
共通透明基板上に水平方向に配列された複数の陽極と、
前記複数の陽極と所定の間隔を有し、かつ前記複数の陽極に直交する方向に配列された第１陰極と第２陰極を１組とする複数の陰極と、
前記複数の陽極と前記第１陰極との交差部にあって、かつこれらの間に形成された有機ＥＬ層と、
前記複数の陽極と前記第２陰極との交差部にあって、かつこれらの間に設けられたスペーサとを有し、
前記第２陰極は、前記複数の陽極に対して垂直方向に上下動する弾性体からなることを特徴とする有機ＥＬディスプレイ。
【発明の詳細な説明】
【技術分野】
【０００１】
本発明は、屋外での視認性を向上させた有機ＥＬディスプレイ（有機エレクトロルミネッセンスディスプレイ）に関するものである。
【背景技術】
【０００２】
有機ＥＬ素子は、高速応答性を有し、視野角依存性のない光を低消費電力で発光することができるので、表示素子として携帯端末機器やパーソナルコンピュータのディスプレイ等に応用することが検討され、車載オーディオ用表示パネルにはモノカラーを部分的に組み合わせたエリアカラーの表示素子として実用化されている。
【０００３】
有機ＥＬ素子の赤（Ｒ）、緑（Ｇ）、青（Ｂ）に対応した表示素子を組み合わせれば、フルカラー表示も可能であることから低電圧駆動で高輝度発光する高性能の有機ＥＬディスプレイについての検討が種々なされている。
【０００４】
このような有機ＥＬディスプレイは、特許文献１に記載されている。
即ち、特許文献１には、携帯電話のような移動体端末電子機器において、視認性に優れ高精細な表示を可能とする有機ＥＬ表示部と消費電力を低く抑えることができる半透過型或いは反射型の液晶表示部を備えることにより、低消費電力化を図ると共に情報の種類や状況に応じた表示装置の使い分けができることが記載されている。
【特許文献１】特開２００２−３０４１３６号公報
【発明の開示】
【発明が解決しようとする課題】
【０００５】
しかしながら、有機ＥＬディスプレイに用いられる有機ＥＬ素子は、自発光素子であるので、明るい環境下では十分なコントラストが得られず、視認性が極端に低下するといった問題があった。
また、携帯電話としては、表示部の両面に表示パネルを設け、一方の表示パネルでは、メッセージ性の高い表示を行わせ、他方では、画像情報を表示させるといったものも商品化されている。表示パネルは、情報表示を行うための一対の電極が必要であることから、厚さ方向に４枚の電極を備える必要がある。このため、全体厚さが厚くなり、薄くてコンパクト化が図れないといった問題があった。
【０００６】
そこで、本発明は、前述の課題に鑑みて提案されるものであって、明るい環境下でも十分な視認性を有する表示を行うことができ、かつ薄くてコンパクト化な有機ＥＬディスプレイを提供することを目的とする。
【課題を解決するための手段】
【０００７】
本発明は、画像情報や文字情報を表示させる有機ＥＬディスプレイにおいて、共通透明基板上に水平方向に配列された複数の陽極と、前記複数の陽極と所定の間隔を有し、かつ前記複数の陽極に直交する方向に配列された第１陰極と第２陰極を１組とする複数の陰極と、前記複数の陽極と前記第１陰極との交差部にあって、かつこれらの間に形成された有機ＥＬ層と、前記複数の陽極と前記第２陰極との交差部にあって、かつこれらの間に設けられたスペーサとを有し、前記第２陰極は、前記複数の陽極に対して垂直方向に上下動する弾性体からなることを特徴とする有機ＥＬディスプレイを提供する。
【発明の効果】
【０００８】
本発明によれば、共通透明基板上に水平方向に配列された複数の陽極と、前記複数の陽極と所定の間隔を有し、かつ前記複数の陽極に直交する方向に配列された第１陰極と第２陰極を１組とする複数の陰極と、前記複数の陽極と前記第１陰極との交差部にあって、かつこれらの間に形成された有機ＥＬ層と、前記複数の陽極と前記第２陰極との交差部にあって、かつこれらの間に設けられたスペーサとを有し、前記第２陰極は、前記複数の陽極に対して垂直方向に上下動する弾性体からなるので、明るい環境下でも十分な視認性を有する表示を行うことができ、かつ薄くてコンパクト化できる。
【発明を実施するための最良の形態】
【０００９】
本発明の実施の形態について図面を参照しながら説明する。
図１は、本発明の実施の形態に係る有機ＥＬディスプレイを示す平面図である。
図２は、図１のＡＡ断面図である。図３は、図１のＢＢ断面図である。
【００１０】
図１に示すように、本発明の実施の形態に係る有機ＥＬディスプレイ１は、共通透明基板２上に水平方向に複数の陽極３が配列され、この複数の陽極３に垂直な方向に複数の陰極４が配列されている。複数の陰極４は、一対の第１陰極４１と第２陰極４２とからなる。図２に示すように、複数の陽極３と第１陰極４１との交差部にあって、かつこれらの間には、有機ＥＬ層５がマトリクス状に形成されている。また、図３に示すように、複数の陽極３と第２陰極４２との交差部にあって、かつこれらの間には、スペーサ５が形成され、複数の陽極３と第２陰極４２との間に空隙６を有している。
【００１１】
そして、共通透明基板２と、陽極３と、第１陰極４１と、有機ＥＬ層７とで有機ＥＬ素子８を構成している。
有機ＥＬ層７は、複数の陽極３上に正孔輸送層７１、発光層７２、電子輸送層７３が順次積層された構成を有している。
【００１２】
陽極３としては、５ｅＶ前後の仕事関数を有する光透過性電極からなり、例えばインジウム−スズ酸化物（以下、ＩＴＯという）を用いることができる。
正孔輸送層７１としては、例えば、アリールジアミン化合物（以下、ＴＰＤという）を用いることができる。
【００１３】
発光層７２としては、蛍光性を有する高分子材料から低分子材料、金属錯体まで幅広く用いることができ、例えば、トリス（8-キノリノール）アルミニウム有機金属錯体（以下、単にＡｌｑ３という）を用いることができる。Ａｌｑ３は、電子輸送性のため電子輸送層と兼用することもできる。
陰極４１は、小さい仕事関数を有する銀−マグネシウム合金を用いることができる。
【００１４】
また、陽極３と、上下動する第２陰極４２と、スペーサ５とでＭＥＭＳ（Ｍｉｃｒｏ  Ｅｌｅｃｔｒｏ  Ｍｅｃｈａｎｉｃａｌ  Ｓｙｓｔｅｍｓ）素子９を構成している。第２陰極４２は、図示しない駆動部により、複数の陽極３に対して垂直方向に上下動する弾性体からなっている。
ＭＥＭＳ素子９は、陽極３と第２陰極４２とでフィゾー干渉計を構成し、透明基板２側から白色光を照射して、スペーサ５の厚さに対応した陽極３と第２陰極４２の間で干渉することにより強められ、共通透明基板２側から出射する発光色のみを取り出して表示を行うことができるものである。
このため、カラー表示を行うことができるように、スペーサ５は、有機ＥＬディスプレイ１内で３原色光の干渉光が得られるように厚さを規則的に変化させてある。
【００１５】
次に、この動作について説明する。
まずは、複数の有機ＥＬ素子８を動作させる場合について説明する。
図示しない駆動回路により、複数の陽極３と第１陰極４１とを順次走査し、有機ＥＬ層７に電流を流して、有機ＥＬ層７の発光層に対応した発光色を共通透明基板２側から取り出して、この文字や画像情報を表示させることができる。それぞれの電極に印加する電圧は、例えば、陽極３は、＋５Ｖ、第１陰極４１は、グランド電位である。
【００１６】
次に、ＭＥＭＳ素子９を動作させる場合について説明する。
図示しない駆動回路により、複数の陽極３と第２陰極４２とを順次走査し、陽極３と第２陰極４２との間で引力が作用する場合には、空隙６は存在しないため、透明基板２側から光を照射しても第２陰極４２で反射されて戻るだけであるので、発光はなく、黒モードとなる。陽極３と第２陰極４２との間で斥力が作用する場合には、スペーサ５の厚さによって決められた空隙６に応じた干渉光を取り出すことができるため、発光色を得ることができる。
カラー表示は、３原色光が得られるＭＥＭＳ素子９を選択することによって、得られる。
【００１７】
陽極３と第２陰極４２との間で引力を作用させる場合には、例えば、陽極３は、＋５Ｖ、第２陰極４２は、０Ｖであり、陽極３と第２陰極４２との間で斥力を作用させる場合には、陽極３は、＋５Ｖ、第２陰極４２は、＋５Ｖである。
【００１８】
以上のように、複数の陽極３と第１陰極４１或いは第２陰極４２を順次走査して、有機ＥＬ素子８或いはＭＥＭＳ素子９を選択的に表示し、共通透明基板２から情報を取り出すことができるので、コンパクトで薄型の有機ＥＬディスプレイを得ることができる。
【００１９】
また、外部環境が暗い時だけ有機ＥＬ素子８を駆動させて表示を行い、明るい時はＭＥＭＳ素子９を用いることにより、電力の省力化を図ることができる。
有機ＥＬ素子８は、第１陰極４１で反射させて共通透明基板２側から発光させることができるので、共通透明基板２側から直接得られる光に加えて第１陰極４１で反射されて戻ってきた光も発光に寄与することになるため、明るい環境下でも十分な視認性を有する表示を行うことができる。
【００２０】
更に、第１陰極４１の光透過率を向上させた材料を用いることにより、有機ＥＬ素子７からの発光は、第１陰極４１側から取り出し、ＭＥＭＳ素子９からの発光は、共通透明基板２側から取り出すことができるので、第１陰極４１側で画像情報を表示させ、共通透明基板２側で使用者の自由度を増すことができる。
【図面の簡単な説明】
【００２１】
【図１】本発明の実施の形態に係る有機ＥＬディスプレイを示す平面図である。
【図２】図１のＡＡ断面図である。
【図３】図１のＢＢ断面図である。
【符号の説明】
【００２２】
１…有機ＥＬディスプレイ、２…共通透明基板、３…陽極、４…陰極、４１…第１陰極、４２…第２陰極、５…スペーサ、６…空隙、７…有機ＥＬ層、７１…正孔輸送層、７２…発光層、７３…電子輸送層、８…有機ＥＬ素子、９…ＭＥＭＳ素子
【図１】
2006338987.tif 000003
【図２】
2006338987.tif 000004
【図３】
2006338987.tif 000005